(57)【要約】【課題】  優れた表示品質の液晶表示装置を提供すること。【解決手段】  本発明の一態様にかかる液晶表示装置は、一対の基板に挟持された液晶層１３を有する液晶パネル１０と、液晶パネル１０の背面側に設けられ、陰極２４と陽極２２との間に発光層２３が形成された面状発光体２０と、発光層２３の背面側に設けられた反射層を備え、視認側から液晶パネル１０を介して面状発光体２０に入射した光が反射層により液晶パネル１０側に反射される液晶表示装置であって、液晶層１３と面状発光体２０との間にヘイズ値が３０〜７０である拡散層１５が配設されているものである。【選択図】  図１
2006126666.tif 000002
【特許請求の範囲】
【請求項１】
一対の基板に挟持された液晶層を有する液晶パネルと、
前記液晶パネルの背面側に設けられ、第１電極と第２電極との間に発光層が形成された面状発光体と、
前記発光層の背面側に設けられた反射層とを備え、
視認側から前記液晶パネルを介して前記面状発光体に入射した光が前記反射層により前記液晶パネル側に反射される液晶表示装置であって、
前記液晶層と前記面状発光体との間にヘイズ値が３０〜７０である拡散層が配設されていることを特徴とする液晶表示装置。
【請求項２】
前記液晶パネルは背面側に偏光板を備え、該偏光板は前記液晶層と前記拡散層との間に配置されている請求項１に記載の液晶表示装置。
【請求項３】
前記液晶パネルは背面側に偏光板を備え、該偏光板は前記拡散層と前記面状発光体との間に配置され、前記拡散層のヘイズ値は３０〜５０である請求項１に記載の液晶表示装置。
【請求項４】
前記拡散層と前記面状発光体との間に反射偏光層が配設され、前記反射偏光層と前記面状発光体との間に位相差層が配設されている請求項２に記載の液晶表示装置。
【請求項５】
前記拡散層が接着性を有する樹脂を備えている請求項１〜４のいずれか１項に記載の液晶表示装置。
【請求項６】
前記第１電極が反射電極であり、該第１電極は第２電極よりも背面側に配置されている請求項１〜５のいずれか１項に記載の液晶表示装置。
【発明の詳細な説明】
【技術分野】
【０００１】
本発明は液晶表示装置に関し、特に詳しくは液晶パネルの背面に反射電極を有する面状発光体を備えた液晶表示装置に関する。
【背景技術】
【０００２】
近年、携帯電話などの移動体通信端末の表示手段として液晶表示装置が広く用いられるようになっている。この液晶表示装置には、室内でも屋外でも使用できるように、液晶パネル内部に反射部と透過部とを備えるタイプの半透過反射型の液晶表示装置が多く用いられている。このような半透過反射型の液晶表示装置では、液晶パネルの背面側に設けられたバックライトからの光を前面側に出射させるとともに、外部から入射される光を液晶表示素子の前面側へ向けて反射させて表示を行う。
【０００３】
しかしながら、液晶パネル内部に反射部と透過部とを形成する構成では、製造コストが高くなってしまう。また、バックライトからの光が液晶パネル内の反射部によって遮られるため、一般に透過時においてバックライト輝度の半分程度の明るさしか得られないという問題点があった。そこで、液晶パネルに反射部を設けずに、バックライト内などの液晶パネル外に反射部を設ける構成のものが用いられている。このように、液晶パネル外での反射を利用できるようにしたものは「微反射型」と呼ばれ、一部のモバイル用途で使用されている。さらに、この微反射型の液晶表示装置では、バックライトとして有機ＥＬ面状発光体（ＯＬＥＤバックライト）を用いるものが開示されている（例えば、特許文献１参照）。この先行文献では、有機ＥＬ素子を発光させるための金属電極を反射部として利用できるため、良好な反射率が得られる。
【特許文献１】特開平９−５００３１号公報
【発明の開示】
【発明が解決しようとする課題】
【０００４】
上述の液晶パネルとＯＬＥＤバックライトを組み合わせた液晶表示装置では、反射での表示を見やすくするために拡散層を設け、金属電極で正反射した光を拡散させている。すなわち、正反射した光は指向性が高いため、正反射した光を直接見た場合、表示品質が劣化してしまう。具体的には、視角によって正反射光の輝度に差が生じ、ギラギラして視認されてしまうことがあった。このようなギラギラ感のある表示を防止するため、特許文献１では液晶パネルと有機ＥＬ面状発光体との間に拡散層を設けている。また、拡散層を設けることによって、視野角を広くすることができるという利点もある。
【０００５】
しかしながら、液晶パネルと有機ＥＬ面状発光体との間に拡散層を有する従来の液晶表示装置では、十分な表示品質を得ることができないという問題点があった。例えば、上述のようにギラギラ感がある表示となったり、あるいは、画像ボケが生じてしまうことがあった。
【０００６】
本発明はこのような問題点に鑑みてなされたものであって、優れた表示品質を有する液晶表示装置を提供することを目的とする。
【課題を解決するための手段】
【０００７】
本発明の第１の態様にかかる液晶表示装置は、一対の基板に挟持された液晶層を有する液晶パネルと、前記液晶パネルの背面側に設けられ、第１電極と第２電極との間に発光層が形成された面状発光体と、前記発光層の背面側に設けられた反射層とを備え、視認側から前記液晶パネルを介して前記面状発光体に入射した光が前記反射層により前記液晶パネル側に反射される液晶表示装置であって、前記液晶層と前記面状発光体との間にヘイズ値が３０〜７０である拡散層が配設されているものである。これにより、液晶表示装置の表示品位を優れたものとすることができる。
【０００８】
本発明の第２の態様にかかる液晶表示装置は、前記液晶パネルは背面側に偏光板を備え、該偏光板は前記液晶層と前記拡散層との間に配置されていることを特徴としている。
【０００９】
本発明の第３の態様にかかる液晶表示装置は、前記液晶パネルは背面側に偏光板を備え、該偏光板は前記拡散層と前記面状発光体との間に配置され、前記拡散層のヘイズ値は３０〜５０であることを特徴としている。
【００１０】
本発明の第４の態様にかかる液晶表示装置は、態様２において、前記拡散層と前記面状発光体との間に反射偏光層が配設され、前記反射偏光層と前記面状発光体との間に位相差層が配設されていることを特徴としている。これにより、反射効率を向上することができる。
【００１１】
本発明の第５の態様にかかる液晶表示装置は、前記拡散層が接着性を有する樹脂を備えていることを特徴としている。これにより、生産性を向上することができる。
【００１２】
本発明の第６の態様にかかる液晶表示装置は、前記第１電極が反射電極であり、第１電極は第２電極よりも背面側に配置されていることを特徴としている。これにより、光の利用効率を向上することができ、輝度を向上することができる。
【発明の効果】
【００１３】
本発明によれば、優れた表示品質を有する液晶表示装置を提供することができる。
【発明を実施するための最良の形態】
【００１４】
以下に、本発明の実施の形態の説明をする。以下の説明は、本発明の実施形態をについてのものであり、本発明は以下の実施形態に限定されるものではない又、当業者であれば、以下の実施形態の各要素を、本発明の範囲において容易に変更、追加、変換することができる。
【００１５】
発明の実施の形態１．
本発明にかかる液晶表示装置の構成について図１を用いて説明する。図１は本実施の形態にかかる液晶表示装置の断面構成の一例を模式的に示す図である。１０は液晶パネル、１１は前面側偏光板、１２は前面側ガラス基板、１３は液晶層
、１４は背面側ガラス基板、１５は拡散層、１６は背面側偏光板、２０は面状発光体、２１は透明基板、２２は陽極、２３は発光層、２４は陰極である。
【００１６】
本実施の形態にかかる液晶表示装置は前面側すなわち、視認側に設けられた液晶パネル１０と背面側に設けられた面状発光体２０とを備えている。液晶パネル１０は前面側から順番に前面側偏光板１１、前面側ガラス基板１２、液晶層１３、背面側ガラス基板１４、拡散層１５及び背面側偏光板１６を備えている。面状発光体２０は前面側、すなわち液晶パネル１０側から順番に、透明基板２１、陽極２２、発光層２３及び陰極２４を備えている。この面状発光体２０がバックライトとなる。
【００１７】
まず、面状発光体２０の構成について説明する。面状発光体２０は有機ＥＬ（Electro Luminescence）発光素子を用いたものである。面状発光体２０は前面側に透明基板２１が配置されている。透明基板２１上には陽極２２、発光層２３及び陰極２４がこの順番に形成されている。陽極２２は例えば、ＩＴＯなどの透明導電材料を蒸着又はスパッタすることにより形成される。陽極２２には例えば、厚さ１５０ｎｍのＩＴＯを用いることができる。陽極２２は透明基板２１上に略均一に形成される。発光層２３は有機ＥＬ発光材料を蒸着又は塗布することにより形成される有機薄膜を備えている。有機ＥＬ発光材料には、例えば、厚さ５０ｎｍのＡｌｑを用いることができる。この発光層２３は陽極２２上に略均一な厚さで形成される。発光層２３はさらに正孔注入層、正孔輸送層、電子注入層又は電子輸送層などを１層以上備える多層構造であってもよい。陰極２４は発光層２３の上から金属材料を蒸着することにより形成される。陰極２４は視認側から液晶パネル１０を介して入射した光を液晶パネル１０側に反射する反射層として機能する。そのため、陰極２４には、反射率の高い材料を用いることが好ましい。例えば、陰極２４としてアルミニウムや銀などを用いることが好ましい。具体的には、陰極２４として厚さ２００ｎｍのＡｌを用いることができる。陰極２４は発光層２３上に略均一に形成される。
【００１８】
このように、有機ＥＬ発光素子を用いた面状発光体２０は陰極２４と陽極２２との間に設けられた発光層２３を備えている。陰極２４と陽極２２との間に電圧を印加することにより、発光層２３に電流が流れ、発光層２３中の有機ＥＬ発光材料が発光する。陽極２２、発光層２３及び陰極２４が透明基板上に略均一に設けられてるため、面状に略均一な光を出射する。面状発光体２０は液晶パネル１０の表示領域に対応する発光領域を有するように形成する。なお、発光層２３から陰極２４側に発光した光は、陰極２４により反射され、液晶パネル１０側に出射される。これにより、光の利用効率を高くすることができ、輝度の向上を図ることができる。このように面状発光体２０は背面側の電極（図１では陰極２４）を反射電極とし、前面側の電極（図１では陽極２２）を透明電極とすることにより、光の利用効率を向上することができる。水分等による発光層２３の劣化を防ぐため、陽極２２、発光層２３及び陰極２４を封止することが好ましい。例えば、陽極２２、発光層２３及び陰極２４からなる積層体は透明基板２１と対向配置された封止基板（図示せず）により封止される。
【００１９】
なお、上述の面状発光体２０の構成は典型的な一例であり、本発明にかかる液晶表示装置に用いられる面状発光体２０は上述の構成に限られるものではない。本発明にかかる液晶表示装置は、外光を視認側に反射する反射電極を有する面状発光体であればよい。したがって、有機ＥＬ発光素子に限らず、無機ＥＬ発光素子を用いることができる。また、陽極２２、陰極２４を透明電極としてもよい。このとき面状発光体の光の利用効率を向上させるための反射層を発光層２３の背面側に別体的に配設すればよい。このような面状発光体２０を用いることにより、微反射型の液晶表示装置を形成することができる。
【００２０】
次に液晶パネル１０について説明する。本実施の形態では、液晶パネル１０がパッシブマトリクス型の液晶表示パネルとして説明するが、もちろんアクティブマトリクス型やセグメント型の液晶表示パネルでもよい。パッシブマトリクス型の液晶パネル１０の場合、前面側ガラス基板１２及び背面側ガラス基板１４は電極付き透明基板である。すなわち、前面側ガラス基板１２の背面側及び背面側ガラス基板１４の前面側には、液晶層１３の液晶を駆動させるため、それぞれストライプ状の透明電極（図示せず）が形成されている。透明電極は例えば、スパッタ又は蒸着によりＩＴＯを成膜し、パターニングすることにより形成される。パッシブマトリクス型の液晶パネル１０では、前面側ガラス基板１２の透明電極と背面側ガラス基板１４の透明電極とは直交するように形成される。
【００２１】
そして、この透明電極の上には液晶を所定の方向に配向させるための配向膜（図示せず）が形成される。すなわち、前面側ガラス基板１２及び背面側ガラス基板１４は透明電極及び配向膜を有し、これらが対向するように配置されている。例えば、ＴＮ(Twisted Nematic)モードの液晶を用いた場合、前面側ガラス基板１２及び背面側ガラス基板１４の配向膜は配向方向が互いに直交するようにラビング処理される。そして、前面側ガラス基板１２と背面側ガラス基板１４との間には、液晶層１３が挟持される。また、前面側ガラス基板１２と背面側ガラス基板１４との間には、基板間隔を一定に保つためのスペーサ（図示せず）が散布されている。そして、表示領域の外周部にシール材（図示せず）を塗布して、基板同士を貼り合わせている。
【００２２】
前面側ガラス基板１２の前面側には前面側偏光板１１が設けられる。また、背面側ガラス基板１４の背面側には背面側偏光板１６が設けられる。前面側偏光板１１及び背面側偏光板１６の偏光軸は配向膜の配向方向に応じて決定される。例えば、ＴＮモードの液晶の場合、前面側偏光板１１の偏光軸と背面側偏光板１６の偏光軸は互いに直交するように設けられる。もちろん、液晶層１３はＴＮモードに限らず、ＳＴＮ(Super Twisted Nematic)やＩＰＳ（In−Plane Switching）やＦＬＣ（強誘電性液晶）等の様々なモードの液晶を用いることができる。
【００２３】
背面側偏光板１６と背面側ガラス基板１４との間には、拡散層１５が設けられている。ここで、拡散層１５はヘイズ値が３０〜５０のものを用いる。具体的には、拡散層１５のヘイズ値を４５としている。この拡散層１５については後述する。
【００２４】
この液晶パネル１０には、駆動回路が接続され、駆動回路からの信号が透明電極に入力される。これにより、透明電極間に液晶を所定の電圧が印加される。この透明電極間の電圧により、液晶が駆動され、液晶パネル１０を透過する光の光量を制御することができる。すなわち、面状発光体２０からの光と、視認側から液晶パネル１０を透過して面状発光体２０の陰極２４で反射し、再度液晶パネルに入射した光とを制御することができる。これにより、所望の画像を表示することが可能となる。なお、駆動回路や電極等の構成については従来の液晶パネルと同様の構成のものを用いることができるため詳細な説明を省略する。なお、背面側ガラス基板１４又前面側ガラス基板１２にカラーフィルタを形成し、カラー表示を行うようにすることもできる。
【００２５】
本発明では面状発光体２０に反射電極となる陰極２４を形成している。この陰極２４により、視認側から液晶パネル１０を透過して面状発光体２０に入射した外光が、視認側に反射される。すなわち、液晶パネル１０を透過した光は、透明基板２１、陽極２２及び発光層２３を透過して、陰極２４に入射する。陰極２４は金属薄膜により形成されており、反射層として機能するため、透明基板２１、陽極２２及び発光層２３を透過した光を反射する。陰極２４により反射された光は再度、透明基板２１、陽極２２及び発光層２３を透過し、液晶パネル１０に入射する。そして、液晶パネル１０に入射した光は液晶パネル１０により光量が制御され、視認側に出射される。このように、面状発光体２０に反射電極を設けることにより、面状発光体２０からの発光に加え、視認側から入射した外光を利用することができる。
【００２６】
反射電極となる陰極２４は通常、平坦に形成される。したがって、陰極２４は入射した光を正反射する。このような、正反射光を直接見た場合、表示特性が劣化してしまう。例えば、正反射では特定の視角での光が強くなってしまうためギラギラ感がある表示となってしまう。したがって、本実施の形態では、陰極２４での正反射光を拡散させるための拡散層１５を背面側ガラス基板１４と背面側偏光板１６との間に配設している。面状発光体２０からの光は拡散層１５により拡散されて液晶層１３に入射する。この拡散層１５のヘイズ値は３０〜５０とする。これにより、表示画像のギラギラ感を防ぐことができ、表示品質を向上することができる。すなわち、拡散層１５の拡散により、視角による光量の差を低減しギラギラ感のある表示を防ぐことができる。また、光が過度に拡散するのを防ぐことができるので、画像ボケが生じるのを防ぐことができる。さらに、拡散層１５を設けることにより、視野角を広くすることができる。ここで、拡散層１５のヘイズ値とは、拡散層１５に可視光を照射したときの全透過光に対する拡散透過光の割合である。
【００２７】
次に表１を用いてヘイズ値が３０〜５０の拡散層１５を有する液晶表示装置の表示品質が優れている点について説明する。表１は図１の構成を有する液晶表示装置において、拡散層１５のヘイズ値を変えて表示品質を評価した結果を示す表である。このヘイズ値は拡散層１５の単体でのヘイズ値である。ここでは目視により、拡散性、画像ボケ及びコントラストの３項目を評価した。
【００２８】
【表１】
2006126666.tif 000003
【００２９】
ここで、拡散性については、液晶表示装置の表示画像を目視により確認し、表示画像がギラギラしているか否かにより判断した。すなわち、拡散性が十分でない場合、ギラギラ感のある表示となってしまう。そのため、ギラギラ感があるか否かによって拡散性が十分であるか否かを目視にて判断した。表１では拡散性が十分で、ギラギラ感がない表示の場合、○を付し、拡散性が不十分でギラギラ感がある表示の場合、×を付した。
【００３０】
画像ボケが生じているか否かは液晶表示装置の表示画像を目視により確認して判断した。表１では、画像ボケが生じていることが視認された場合、×を付し、画像ボケが生じていない場合、○を付した。
【００３１】
本実施の形態では、拡散層１５が背面側偏光板１６の前面側に設けている。そのため、拡散層１５の拡散性が強すぎると、背面側偏光板１６から入射して拡散層１５を通過した光の偏光解消が生じ、偏光軸に乱れが生じてしまう。このような偏光解消は、コントラストの低下を引き起こす。偏光解消が生じているか否かを判断するため、液晶表示装置のコントラストを目視により評価した。表１では偏光軸の乱れによってコントラストの低下が確認されたものに×を付し、コントラストの低下が確認されなかったものに○を付した。
【００３２】
表１に示すようにヘイズ値が２０の場合、拡散性が不十分であり、ギラギラ感のある表示となってしまった。またヘイズ値が６０、７０、８０の場合、偏光軸に乱れが生じ、コントラストが劣化してしまった。さらに、ヘイズ値が８０の場合、拡散性が強すぎて画像ボケが生じてしまった。したがって、本実施の形態の構成では、ヘイズ値が３０〜５０の拡散層１５を用いることにより、優れた表示品質にすることができる。
【００３３】
なお、上記の拡散層１５には、例えば図２に示すように樹脂３１に屈折率の異なる微粒子３２を混ぜ込んだものを用いることができる。この樹脂３１には接着性を有し、接着材となるような材料を用いている。拡散層１５に接着性を持たせることにより、背面側偏光板１６と背面側ガラス基板１４とを接着することができる。これにより、製造工程を簡略化することができ、生産性を向上することができる。さらには、液晶パネル１０の厚さを薄くすることができる。もちろん、シート状の拡散層１５を用いることも可能である。また、背面側ガラス基板１４に拡散性を持たせてもよい。さらに、これらを組み合わせたものを拡散層１５として用いてもよい。これらを組み合わせ、拡散層１５を２層以上の積層構造とした場合、拡散層１５のヘイズ値は積層構造全体のヘイズ値とする。例えば、拡散性を持たせた背面側ガラス基板１４と微粒子３２を含んだ樹脂３１とを併せて用いた場合、背面側ガラス基板１４と微粒子３２を含んだ樹脂３１とを併せたものが拡散層１５となる。この場合、背面側ガラス基板１４と微粒子３２を含んだ樹脂とを併せた積層構造全体のヘイズ値が拡散層１５のヘイズ値となる。したがって、積層構造全体のヘイズ値を３０〜５０にすることにより、優れた表示品質の液晶表示装置を得ることができる。微粒子３２の割合や屈折率及び樹脂３１の屈折率並びに拡散層１５の厚さを変えることにより、拡散層１５のヘイズ値を調整することができる。
【００３４】
なお、上述の説明では、液晶パネル１０及び面状発光体２０の典型的な一例について説明したが、本発明では、様々な構成を有する液晶パネル１０及び面状発光体を用いることができる。液晶パネル１０は背面側偏光板１６の前面側に３０〜５０のヘイズ値を有する拡散層１５を有していればよい。また、面状発光体２０は外光を反射する反射電極が形成されていればよい。
【００３５】
発明の実施の形態２．
本実施の形態にかかる液晶表示装置の構成について図３を用いて説明する。図３は液晶表示装置の断面構成を模式的に示す図である。本実施の形態では、拡散層１５を背面側偏光板１６の背面側に設け、拡散層１５の背面側に光学シート１７を設ける構成としている。実施の形態１と同様の構成については説明を省略する。
【００３６】
図３に示すように背面側偏光板１６の背面側に拡散層１５を配設している。さらに拡散層１５の背面側には光学シート１７を配設している。光学シート１７は例えば、プリズムシートであり、液晶表示装置の輝度を向上するために設けている。もちろん、これ以外の光学シートを設けても良い。本実施の形態では、背面側偏光板１６の背面側に拡散層１５を設けているため、一対の偏光板間の外側に拡散層１５が配設される。したがって、拡散層１５による偏光軸の乱れが生じない。よって、実施の形態１よりヘイズ値の高い拡散層１５を用いることができる。本実施の形態では、３０〜７０のヘイズ値を有する拡散層１５を用いることができる。これにより優れた表示品質の液晶表示装置を得ることができる。具体的には、ヘイズ値が６２の拡散層１５を用いている。
【００３７】
次に表２を用いてヘイズ値が３０〜７０の拡散層１５を有する液晶表示装置の表示品質が優れている点について説明する。表２は図３の構成を有する液晶表示装置において、拡散層１５のヘイズ値を変えて表示品質を評価した結果を示す表である。このヘイズ値は拡散層１５の単体でのヘイズ値である。表２の評価項目は表１の評価項目と同様の３項目である。
【００３８】
【表２】
2006126666.tif 000004
【００３９】
表２に示すようにヘイズ値が２０の場合、拡散性が不十分であり、ギラギラ感のある表示となってしまった。また、ヘイズ値が８０の場合、拡散性が強すぎて画像ボケが生じてしまった。したがって、本実施の形態の構成では、ヘイズ値が３０〜７０の拡散層１５を用いることにより、優れた表示品質にすることができる。なお、本実施の形態では、偏光の乱れが生じないため、ヘイズ値を８０まで上げてもコントラストは低下しなかった。
【００４０】
発明の実施の形態３．
本実施の形態にかかる液晶表示装置の構成について図４を用いて説明する。図４は液晶表示装置の断面構成を模式的に示す図である。本実施の形態では、拡散層１５を背面側偏光板１６の背面側に設け、拡散層１５の背面側に反射偏光板１８を設け、反射偏光板１８の背面側に位相差層１９を設ける構成としている。実施の形態１および２と同様の構成については説明を省略する。
【００４１】
図４に示すように拡散層１５の背面側に反射偏光板１８を配設している。反射偏光板１８としては、Ｐ波とＳ波に分かれた２つの直線偏光の一方を反射するものやコレステリック液晶の円偏光二色性により２つの円偏光に分離させ、一方の円偏光を反射させるものを例示することができる。本実施の形態においては直線偏光の一方を反射させるものを用いている。また、反射偏光板１８の透過軸は背面側偏光板１６の透過軸と平行になるように配設している。
【００４２】
この反射偏光板１８は視認側から入射した光を液晶パネル１０側に反射することができる。反射偏光板１８で反射しなった光の一部は反射偏光板１８を透過して、陰極２４の反射層において液晶パネル側に反射する。すなわち、視認側から入射した光は２つの反射層により液晶パネル１０側に反射され、反射の輝度を向上することができる。本実施の形態の構成でもヘイズ値を３０〜７０とすることにより、表示品質を優れたものとすることができる。拡散層１５のヘイズ値は例えば、４５とすることができる。
【００４３】
また、反射偏光板１８の背面側に位相差層１９を配設している。位相差層１９は、例えば、λ／４板であり、面状発光体２０からの輝度を向上するために設けている。位相差層１９の遅相軸は背面側偏光板１６の透過軸に対し４５°回転させている。
【００４４】
この位相差層１９を設けることにより、面状発光体２０からの光が反射偏光板１８により反射される光を再活用して、液晶パネル１０側に出射させることができる。本実施の形態の液晶表示装置は、反射時も透過時も光の効率を向上することができるという極めて優れた効果を奏する。
【図面の簡単な説明】
【００４５】
【図１】本発明にかかる液晶表示装置の構成を模式的に示す断面図である。
【図２】本発明にかかる液晶表示装置に用いられる拡散層の構成を模式的に示す断面図である。
【図３】本発明の実施の形態２にかかる液晶表示装置の構成を模式的に示す断面図である。
【図４】本発明の実施の形態２にかかる液晶表示装置の構成を模式的に示す断面図である。
【符号の説明】
【００４６】
１０  液晶パネル
１１  前面側偏光板
１２  前面側ガラス基板
１３  液晶層
１４  背面側ガラス基板
１５  拡散層
１６  背面側偏光板
１７  光学シート
１８  反射偏光板
１９  位相差層
２０  面状発光体
２１  透明基板
２２  陽極
２３  発光層
２４  陰極
３１  樹脂
３２  微粒子
【図１】
2006126666.tif 000005
【図２】
2006126666.tif 000006
【図３】
2006126666.tif 000007
【図４】
2006126666.tif 000008